(57)【特許請求の範囲】
【請求項１】
試料水を酸化することで得られる二酸化炭素を測定することで試料水中の分析対象成分を測定するＴＯＣ計において、
前記ＴＯＣ計は、
前記試料水を希釈するための希釈水を入れた容器であって、前記ＴＯＣ計が載置された平面に前記ＴＯＣ計とは別体に載置された希釈水容器と、
前記ＴＯＣ計の側面部に前記希釈水を入れた希釈水容器を格納するために設けられた凹部と、
前記希釈水容器の転倒を防止する希釈水容器転倒防止部とを備え、
前記希釈水容器転倒防止部は、前記希釈水容器が、載置された平面に対して傾いた場合に、前記希釈水容器を前記平面との間で挟持することによって一定以上は傾かないように設けられていることを特徴とするＴＯＣ計。
【請求項２】
前記希釈水容器転倒防止部は、前記ＴＯＣ計のケースの一部分によって形成したことを特徴とする請求項１に記載されたＴＯＣ計。
【請求項３】
前記ＴＯＣ計のケースと前記希釈水容器の間に、手の指を入れて前記希釈水容器に挿入されたチューブを掴んで指を動かすことが可能な大きさの空間を設けたことを特徴とする請求項１又は２に記載されたＴＯＣ計。
【請求項４】
前記ＴＯＣ計のケースと前記希釈水容器の間に、手の指を入れて前記希釈水容器を押さえ又は掴んで前記希釈水容器を前記ＴＯＣ計から取り外すことができる大きさの空間を設けたことを特徴とする請求項１又は２に記載されたＴＯＣ計。
【発明の詳細な説明】
【技術分野】
【０００１】
本発明は、排水、水道水、下水、純水、その他各種用水に含まれる有機性汚濁物の総量を測定する分析装置に関するものである。  
【従来の技術】
【０００２】
近年、水質調査において全有機体炭素（ＴＯＣ）及び全窒素（ＴＮ）の測定が重要な項目の一つになっており、ＴＯＣやＴＮの測定には燃焼酸化プロセスを用いたＴＯＣ計が用いられている。従来、例えば水中のＴＯＣを測定する水質自動分析装置としては、予めバブリング等により無機体炭素（ＩＣ）が除去された試料を酸化反応管で燃焼させ、発生した二酸化炭素を測定することで直接ＴＯＣ濃度を測定するもの、又はＩＣを含んだまま試料を燃焼させ、測定された全炭素の測定値から、別途測定したＩＣの測定値を差し引くことでＴＯＣ濃度を測定するもの等が知られている（特許文献１参照。）。
【０００３】
通常、燃焼酸化方式の水質計測器では、試料をキャリアガス通気のもと、一定量を６００〜９００℃に加熱された酸化反応管に注入し、燃焼酸化分解により検出したい元素成分をガス化することでキャリアガスと共に検出器に導入し、計測する。
【先行技術文献】
【特許文献】
【０００４】
【特許文献１】特開２００８−２３２６９５号公報
【発明の概要】
【発明が解決しようとする課題】
【０００５】
図４は従来のＴＯＣ計の斜視図である。ＴＯＣ計本体１には、試料の希釈や洗浄に使用する希釈水が必要であり、希釈水は２リットル程度の比較的大きな希釈水容器２に入れられている。従来、希釈水容器２はＴＯＣ計１の横にそのまま置いており、特に転倒防止の措置を施していなかったことから、希釈水容器２が転倒する事故が起こっており、特に、希釈水容器２に入れられた希釈水の容量が少なくなると、希釈水容器２は安定性がなくなりよく転倒していた。そのため、希釈水容器２の転倒を防止するための機構を設けることが必要となる。
【０００６】
一方、希釈水は時間の経過により汚染され、汚染された希釈水を用いて分析を行うと分析の精度が下がることから、１週間に１回程度は希釈水を交換することが必要になる。このように定期的に希釈水容器２をＴＯＣ計本体１から取り外して希釈水を交換する作業が必要になるため、転倒を防止する機構として希釈水容器２を固定するベルト等を採用すると、ＴＯＣ計本体１から希釈水容器２を取り外す際に手間や時間がかかる。そのため、希釈水容器２をＴＯＣ計本体１から取り外し難くならないような構造によって、希釈水容器２の転倒を防止する必要がある。
【０００７】
また、希釈水容器２にはＴＯＣ計本体１に希釈水を送液するためのチューブ３が挿入されており、希釈水容器２をＴＯＣ計本体１から着脱する際は、チューブ３の挿入又は抜出作業が必要になるため、希釈水容器２の転倒を防止する機構を設けることによって、本作業に支障をきたさないようにしなければならない。
【０００８】
さらに、転倒を防止する機構を新たな部品で設けると部品点数が増えコストも嵩むことになる。
【０００９】
本発明は、これらの課題を解決することができる希釈水容器の転倒防止機構を提供することを目的とする。
【課題を解決するための手段】
【００１０】
上記課題を解決するためになされた本発明は、試料水を酸化することで得られる二酸化炭素を測定することで試料水中の分析対象成分を測定するＴＯＣ計において、前記試料水を希釈するための希釈水を入れた容器であって、前記ＴＯＣ計が載置された平面に前記ＴＯＣ計とは別体に載置された希釈水容器と、前記ＴＯＣ計の側面部に前記希釈水を入れた希釈水容器を格納するために設けられた凹部と、前記希釈水容器の転倒を防止する希釈水容器転倒防止部とを備え、前記希釈水容器転倒防止部は、前記希釈水容器が、載置された平面に対して傾いた場合に、前記希釈水容器を前記平面との間で挟持することによって一定以上は傾かないように設けられていることを特徴とする。
【００１１】
そして、前記ＴＯＣ計における前記希釈水容器転倒防止部は、前記ＴＯＣ計のケースの一部分によって形成してもよい。
【００１２】
また、前記ＴＯＣ計には、前記ＴＯＣ計のケースと前記希釈水容器の間に、手の指を入れて前記希釈水容器に挿入されたチューブを掴んで指を動かすことが可能な大きさの空間を設けてもよい。
【００１３】
あるいは、前記ＴＯＣ計のケースと前記希釈水容器の間に、手の指を入れて前記希釈水容器を押さえ又は掴んで前記希釈水容器を前記ＴＯＣ計から取り外すことができる大きさの空間を設けてもよい。
【発明の効果】
【００１４】
本発明によれば、希釈水容器転倒防止部によって希釈水容器の転倒を防ぐことができる。また、ＴＯＣ計のケース側面に設けられた凹部に希釈水容器を格納することで、希釈水容器２をＴＯＣ計から簡単に取り外しすることができるため、ベルト等を利用した転倒防止機構と比べて、簡単に希釈水容器を着脱することが可能になる。
【００１５】
また、ＴＯＣ計のケースで希釈水容器を押さえれば、新たな部品を使用しなくて済むため、ＴＯＣ計のケースの一部の形状を希釈水容器の形状に合わせて形成して、希釈水容器をＴＯＣ計のケースの一部で転倒しないように押さえることで、ＴＯＣ計のケースを希釈水容器転倒防止部にすることができる。
【００１６】
さらに、希釈水容器から希釈水をＴＯＣ計に送り出すためにＴＯＣ計に装着されたチューブを希釈水容器の容器口に挿入する際にＴＯＣ計と希釈水容器の容器口の間にスペースを設けることで、ＴＯＣ計に希釈水容器が装着された状態で、チューブを指で握りながら、チューブを希釈水容器に挿入することや、チューブの位置を調整することが可能になる。
【００１７】
また、ＴＯＣ計と希釈水容器の間のスペースに指を入れて希釈水容器を掴んだり押さえたりすることで、ＴＯＣ計から希釈水容器を簡易に取り外すことができる。
【図面の簡単な説明】
【００１８】
【図１】本発明を適用するＴＯＣ計の側面図。
【図２】本発明を適用するＴＯＣ計の正面図。
【図３】ＴＯＣ計の概略構成図。
【図４】従来のＴＯＣ計の斜視図。
【発明を実施するための形態】
【００１９】
図３はＴＯＣ計としての全有機体炭素測定装置の概略構成図である。４は試料調製槽であり、試料水が常時流れており、チューブを介してマルチポートバルブ５の１つのポートに接続されており、測定時に試料水が採水される。
【００２０】
マルチポートバルブ５の他のポートには、試料水から無機体炭素を除去するための酸試薬容器６と、試料水を希釈するための希釈水容器２と、測定値の校正などに用いる標準液容器７が接続されている。マルチポートバルブ５の共通ポートにはシリンジポンプ８が接続されている。シリンジポンプ８はマルチポートバルブ５の切り替えにより、各容器からの液を計量したり混合したり撹拌したりする。
【００２１】
試料水を酸化して気化するための酸化反応管９（燃焼管）は、マルチポートバルブ５のポートの一つに接続されている。コンプレッサー１０はシリンジポンプ８又は酸化反応管９に空気を送るための機構であり、空気の流量を制御する流量制御部１１を介して、シリンジポンプ８のスパージガス導入部８ａと酸化反応管９の試料水導入部９ａに接続されている。シリンジポンプ８に送られる空気は爆気処理により試料水中の無機体炭素を除去するスパージガスとして、酸化反応管９に送られる空気は試料水を導通するためのキャリアガスとして用いられる。
【００２２】
酸化反応管９の排出部９ｂは二酸化炭素検出部９に接続されている。二酸化炭素検出部１２では、例えばＮＤＩＲ（非分散形赤外分光光度計）により二酸化炭素が測定されるようになっている。二酸化炭素検出部９で測定された値はデータ処理部１３によりＴＯＣ濃度に変換される。
【００２３】
図１は本発明を適用するＴＯＣ計の側面図であり、図２は本発明を適用するＴＯＣ計の正面図である。図１、図２を用いて希釈水容器２の転倒を防止する機構について説明する。
【００２４】
ＴＯＣ計本体１は、ケース２０の中に酸化反応管９等の各部品を格納しており、ケース２０は一部が凹んでおり、その凹み側面には酸試薬容器６を取り付ける酸試薬容器ホルダー１７、標準液容器７を取り付ける標準液容器ホルダー１８が設けられている。また、その凹み部分には、希釈水容器２を格納する希釈水容器格納スペース１６が設けられている。希釈水容器２に入れられる希釈水は１週間に１回程度交換する必要があることから、希釈水容器２を簡単にＴＯＣ計本体１から出し入れできる必要がある。そのため、希釈水容器２を希釈水容器格納スペース１６に簡単に出し入れできるように、希釈水容器格納スペース１６にカバーやフタ等は設けられていない。また、希釈水容器２を希釈水容器格納スペース１６から取り出し易くするために、希釈水容器２を手で掴んだり押さえたりしながら希釈水容器２を取り出せるように、ＴＯＣ計本体１と希釈水容器２の間にはスペース１５が設けられている。
【００２５】
希釈水容器格納スペース１６に格納された希釈水容器２は、外部からの振動や衝撃によって傾いて転倒しそうになった場合、一定の角度まで傾いた時点で、希釈水容器２は押さえ部１４によってそれ以上傾いて転倒しないように押さえられる。また、押さえ部１４を希釈水容器２の上面に設けることで希釈水容器２がどちらの方向に倒れそうになっても、一定以上傾いた時点で希釈水容器２が押さえ部１４に接触するため、希釈水容器２の転倒を防止することができる。そして、押さえ部１４は、ＴＯＣ計本体１のケースの一部分で希釈水容器２を押さえることができるようにしているため、新しい部品を設ける必要もなく、部品点数やコスト面において優れている。なお、押さえ部１４は希釈水容器２と接触しておらず、希釈水容器２を押さえ部１４と地面の間で挟むことで、希釈水容器２が一定以上に傾くことを防止しているが、希釈水容器２が傾いていない状態で希釈水容器２と押さえ部１４を接触させ、希釈水容器２が傾かないように押さえておくようにしてもよい。
【００２６】
また、希釈水容器２の容器口には、希釈水をＴＯＣ計本体１に導入するためのチューブ３が挿入されているが、希釈水容器格納スペース１６に格納した希釈水容器２の容器口にチューブ３を挿入し又は抜出す作業を行うために、容器口周辺にはチューブ３を手で掴んだ状態で容器口周辺で手を動かすための空間が必要になることから、ＴＯＣ計本体１と希釈水容器２の間にはスペース１５が設けられている。このようにして、ＴＯＣ計本体１に希釈水容器２が格納された状態で、チューブを指で握りながら、チューブ３を希釈水容器２に挿入することや、チューブ３の位置を調整すること等が可能になる。また、スペース１５には水平方向へ広がる第２スペース１９が設けられており、作業者はこの空間に指をいれてチューブの挿入や調整作業を行うことで、指でチューブを隠すことなく、これらの作業を行うことが出来る。
【００２７】
なお、本実施例においては、スペース１５を使って、希釈水容器２の取り出し作業及びチューブ３を希釈水容器２に挿入し調整等をする作業を行うために、スペース１５の配置、大きさは、希釈水容器２の取り出し作業が行えるように、希釈水容器２を手で掴んだり押さえたりしながら希釈水容器２を取り出せる配置、大きさとし、チューブ３を希釈水容器２に挿入し調整等する作業を行えるように、指でチューブを握れ、指でチューブを隠さないように指を挿入する空間を形成できるような位置、大きさとしている。ただ、本実施例のように一つの空間で２つの作業空間を兼ねるのではなく、それぞれの作業用に別々の空間を設けるように構成しても良い。
【符号の説明】
【００２８】
１  ＴＯＣ計本体
２  希釈水容器
３  チューブ
４  試料調製槽
５  マルチポートバルブ
６  酸試薬容器
７  標準液容器
８  シリンジポンプ
８ａ  スパージガス導入部
９  酸化反応管
９ａ  試料水導入部
９ｂ  排出部
１０  コンプレッサー
１１  流量制御部
１２  二酸化炭素検出部
１３  データ処理部
１４  押さえ部
１５  スペース
１６  希釈水容器格納スペース
１７  酸試薬容器ホルダー
１８  標準液容器ホルダー
１９  第２スペース
２０  ケース
【図１】
0005581985.tif 000002
【図２】
0005581985.tif 000003
【図３】
0005581985.tif 000004
【図４】
0005581985.tif 000005